(57)【要約】【課題】画像処理装置において、印刷装置に装着された消耗品の情報をユーザが簡単に把握できるようにする。【解決手段】印刷装置１に装着された消耗品（例えば、インクカートリッジ１００）に基づいて、印刷装置１に対応する商標画像（例えば、純正品商標画像Ｔ１１，非純正品商標画像Ｔ１２）を取得する商標画像取得部１１，２１１と、この商標画像取得部１１，２１１によって取得された商標画像（例えば、純正品商標画像Ｔ１１，非純正品商標画像Ｔ１２）を表示部４０，２３０に表示させる表示制御部１２，２１２とを備える。【選択図】図５Ａ
2020163700.tif 000002
【特許請求の範囲】
【請求項１】
印刷装置に装着された消耗品に基づいて、前記印刷装置に対応する商標画像を取得する商標画像取得部と、
前記商標画像取得部によって取得された前記商標画像を表示部に表示させる表示制御部と
を備えることを特徴とする画像処理装置。
【請求項２】
前記商標画像取得部は、前記消耗品に付された商標を撮像することにより得られる前記商標画像を取得する、
ことを特徴とする請求項１記載の画像処理装置。
【請求項３】
前記商標画像取得部は、前記消耗品の認証結果に基づいて前記商標画像を取得する
ことを特徴とする請求項１記載の画像処理装置。
【請求項４】
前記表示制御部は、前記消耗品の認証結果画像及び前記消耗品の情報画像のうち少なくとも一方を、前記商標画像とともに前記表示部に表示させる
ことを特徴とする請求項１乃至３のいずれか１項記載の画像処理装置。
【発明の詳細な説明】
【技術分野】
【０００１】
本発明は、画像処理装置に関する。
【背景技術】
【０００２】
印刷装置には、印刷方式に応じて、インクカートリッジ、トナーカートリッジ、感光体ドラム、孔版原紙などの消耗品が装着される。
【０００３】
例えば、インクジェット印刷装置には、消耗品として、色ごとにインクが貯留された複数のインクカートリッジが着脱可能に装着される。インクジェット印刷装置では、インクカートリッジからインクジェットヘッドへインクが供給され、インクジェットヘッドのノズルからインクが印刷用紙に向けて吐出されることにより画像や文字などの印刷が行われる。
【０００４】
不適切なインクカートリッジがインクジェット印刷装置に装着されて使用されると、例えば、インクが凝集し、凝集したインクがノズルを閉塞させ吐出不良が発生したり、用紙に着弾したインクがにじみ、画像のエッジ不良などが発生したりする。これらの不具合は、印刷画像の品質低下の原因となっていた。また、インクが凝集すると装置内の各機器に過剰な負荷がかかり、装置故障の原因となる場合もある。
【０００５】
そこで、従来、消耗品が装着される印刷装置は、消耗品に付加された情報を使用して純正品の識別及び認証を行っていた。
【０００６】
また、消耗品のメモリの記憶情報に加えて、消耗品を撮像することにより得られる画像情報も用いて、消耗品の許可認証を行う認証装置が提案されている（例えば、特許文献１参照）。
【先行技術文献】
【特許文献】
【０００７】
【特許文献１】特開２０１７−６８４２５号公報
【発明の概要】
【発明が解決しようとする課題】
【０００８】
上述のように消耗品の認証を行っても、消耗品の情報をコピーされてしまい、非純正品を純正品と認証する場合がある。認証の処理は、印刷装置が行うため、ユーザは、実際に装着されている消耗品を確認できず、消耗品に付された商標（ロゴ商標又は文字商標）などを把握することができない。ユーザが消耗品を確認するためには、印刷装置に装着された消耗品を印刷装置から取り出す必要があった。なお、印刷装置に装着された状態の消耗品に付された商標が印刷装置の扉を開けば露出する場合であっても、印刷装置の扉を開いて商標などを確認する手間がかかる。
【０００９】
本発明の目的は、印刷装置に装着された消耗品の情報をユーザが簡単に把握できる画像処理装置を提供することである。
【課題を解決するための手段】
【００１０】
１つの態様では、画像処理装置は、印刷装置に装着された消耗品に基づいて、前記印刷装置に対応する商標画像を取得する商標画像取得部と、前記商標画像取得部によって取得された前記商標画像を表示部に表示させる表示制御部とを備える。
【発明の効果】
【００１１】
前記態様によれば、印刷装置に装着された消耗品の情報をユーザが簡単に把握できる。
【図面の簡単な説明】
【００１２】
【図１】一実施の形態における、画像処理装置の一例である印刷装置、及びインクカートリッジを説明するための説明図である。
【図２】一実施の形態におけるインクカートリッジを示す斜視図である。
【図３】一実施の形態における撮像通信モジュールを示す断面図である。
【図４Ａ】一実施の形態における純正品（純正品商標）の非接触ＩＣを示す図である。
【図４Ｂ】一実施の形態における非純正品（非純正品商標）の非接触ＩＣを示す図である。
【図４Ｃ】一実施の形態における非純正品（商標なし）の非接触ＩＣを示す図である。
【図５Ａ】一実施の形態における設定画面（純正品商標）を示す図である。
【図５Ｂ】一実施の形態における設定画面（非純正品商標）を示す図である。
【図５Ｃ】一実施の形態における設定画面（商標なし）を示す図である。
【図６】一実施の形態における商標表示領域（純正品商標）を示す図である。
【図７】一実施の形態における商標画像の表示処理を説明するためのフローチャートである。
【図８】他の実施の形態における、画像処理装置の一例であるユーザ端末を示す図である。
【発明を実施するための形態】
【００１３】
以下、本発明の実施の形態に係る画像処理装置について、図面を参照しながら説明する。まず、画像処理装置の一例である印刷装置１について説明し、画像処理装置の他の一例であるユーザ端末２００については後述する。
【００１４】
本実施の形態では、Ｋ（ブラック）、Ｃ（シアン）、Ｍ（マゼンタ）、Ｙ（イエロー）のインクに対応するインクカートリッジ１００Ｋ，１００Ｃ，１００Ｍ，１００Ｙは、印刷装置１に装着された消耗品の一例である。なお、インクカートリッジ１００Ｋ、１００Ｃ，１００Ｍ，１００Ｙのそれぞれは、収容するインクの色を除いて同一の構成を有する。そのため、インクカートリッジ１００Ｋを例に説明する。また、インクカートリッジ１００Ｋ，１００Ｃ，１００Ｍ，１００Ｙは、適宜、インクカートリッジ１００と記す。
【００１５】
図１は、印刷装置１及びインクカートリッジ１００を説明するための説明図である。
図１に示すように、印刷装置１は、制御部１０と、記憶部２０と、撮像通信モジュール３０と、表示部４０と、インターフェース部５０と、入力部６０と、印刷部７０とを備える。
【００１６】
制御部１０は、例えば、印刷装置１全体の動作を制御する演算処理装置として機能するプロセッサ（例えばＣＰＵ： Central Processing Unit）を有する。このプロセッサは、記憶部２０又は着脱可能な記憶媒体から所定のプログラムを読み出して実行することにより、商標画像取得部１１及び表示制御部１２として機能する。ここで、プロセッサが実行するプログラムは、印刷装置１に装着されたインクカートリッジ１００Ｋに基づいて、印刷装置１に対応する商標画像（例えば、図５Ａに示す「★ＡＢＣ★」などの純正品商標画像Ｔ１１，図５Ｂに示す「☆ＸＹＺ☆」などの非純正品商標画像Ｔ１２）を取得する機能と、取得された商標画像を表示部４０に表示させる機能とをコンピュータ（例えば、印刷装置１若しくは印刷装置１の制御部１０、又は、後述するユーザ端末２００若しくはユーザ端末２００の制御部２１０）に実行させるプログラムを含む。
【００１７】
商標画像取得部１１は、印刷装置１に装着されたインクカートリッジ１００Ｋに基づいて、印刷装置１に対応する商標画像を取得する。この商標画像は、例えば、図５Ａに示す純正品商標画像Ｔ１１、又は図５Ｂに示す非純正品商標画像Ｔ１２である。なお、印刷装置１に対応する商標画像としては、ロゴ商標であることが望ましいが、文字商標であってもよい。また、印刷装置１に対応する商標画像としては、例えば、印刷装置１の製造メーカの商標画像や製品の商標画像などが挙げられる。
【００１８】
商標画像取得部１１は、インクカートリッジ１００Ｋ（ＲＦタグとして機能する非接触ＩＣ１２０）に付された商標（例えば、図４Ａに示す「★ＡＢＣ★」などの純正品商標Ｔ１，図４Ｂに示す「☆ＸＹＺ☆」などの非純正品商標Ｔ２）を撮像することにより得られる純正品商標画像Ｔ１１又は非純正品商標画像Ｔ１２を撮像通信モジュール３０から取得するとよい。或いは、商標画像取得部１１は、インクカートリッジ１００Ｋの認証結果に基づいて、例えば記憶部２０に記憶された登録画像を、純正品商標画像Ｔ１１又は非純正品商標画像Ｔ１２として取得してもよい。
【００１９】
表示制御部１２は、商標画像取得部１１によって取得された商標画像（例えば、図５Ａに示す純正品商標画像Ｔ１１、又は図５Ｂに示す非純正品商標画像Ｔ１２）を、表示部４０の例えば図５Ａ〜図５Ｃに示す設定画面４１〜４３の商標表示領域４１ａ〜４３ａに表示させる。なお、表示制御部１２は、設定画面４１〜４３とは別画面で、商標画像を表示してもよい。
【００２０】
また、制御部１０は、インクカートリッジ１００Ｋに記憶されたＩＤ（消耗品記憶情報の一例）に基づいて、記憶部２０に記憶された第１アルゴリズムを用いて第１パスワード（第１の照合情報の一例）を生成する。制御部１０は、この第１パスワードと、ＩＤに基づいて生成されインクカートリッジ１００Ｋのメモリ１２１に記憶されている第２パスワード（第２の照合情報の一例）とを照合する。ここで、インクカートリッジ１００Ｋが純正品である場合には、第１パスワードと第２パスワードとは、いずれも共通のＩＤに基づいて、共通の第１アルゴリズムを用いて生成されるため、一致することになる。
【００２１】
また、制御部１０は、撮像部３２Ｋ，３２Ｃ，３２Ｍ，３２Ｙにより撮像されたインクカートリッジ１００の非接触ＩＣ１２０の画像情報（例えば、上述の純正品商標画像Ｔ１１又は非純正品商標画像Ｔ１２）に基づき、記憶部２０に記憶された画像変換テーブルを参照して画像パスワード（第３の照合情報の一例）を生成する。制御部１０は、この画像パスワードと、メモリ１２１に記憶されている画像パスワード（第４の照合情報の一例）とを照合する。
【００２２】
制御部１０は、第１パスワードと第２パスワードとが一致する場合、又は、第１パスワードと第２パスワードとが一致し且つ２つの画像パスワードが一致する場合に、インクカートリッジ１００Ｋを純正品と認証するとよい。
【００２３】
記憶部２０は、例えばメモリであり、印刷装置１が使用される地域を示す仕向け情報と、第２パスワードを生成するためのプログラムである第１アルゴリズムと、画像変換テーブルと、図５Ａに示す純正品商標画像Ｔ１１、図５Ｂに示す非純正品商標画像Ｔ１２等の登録画像とを記憶している。また、記憶部２０は、登録画像に対応するインクカートリッジ１００Ｋの設定情報（例えば、製造年月日、色情報、種類、濃度などの情報）を記憶しているとよい。
【００２４】
４つの撮像通信モジュール３０は、無線通信部３１と、撮像部３２Ｋ，３２Ｃ，３２Ｍ，３２Ｙとを有する。
【００２５】
無線通信部３１は、インクカートリッジ１００Ｋに付された非接触ＩＣ１２０との間で無線通信を確立し、非接触ＩＣ１２０から種々の情報を読み込み、読み込んだ情報を印刷装置１の制御部１０に供給する。なお、無線通信部３１と非接触ＩＣ１２０との間で無線通信を行う際、送信側は乱数を付加して送信し、受信側は付加された乱数を削除することにより情報を取り出す。これにより、通信する情報の傍受を防止することができる。
【００２６】
撮像部３２Ｋ，３２Ｃ，３２Ｍ，３２Ｙのそれぞれは、印刷装置１に装着された状態のインクカートリッジ１００Ｋ，１００Ｃ，１００Ｍ，１００Ｙの非接触ＩＣ１２０に対向するように配置されており、非接触ＩＣ１２０を撮像することにより上述の純正品商標画像Ｔ１１又は非純正品商標画像Ｔ１２を取得する。
【００２７】
なお、撮像部３２Ｋ，３２Ｃ，３２Ｍ，３２Ｙのそれぞれは、同一の構成を有する。そのため、撮像部３２Ｋを例に説明する。また、撮像部３２Ｋ，３２Ｃ，３２Ｍ，３２Ｙは、適宜、撮像部３２と記す。
【００２８】
図２は、インクカートリッジ１００Ｋを示す斜視図である。
図３は、撮像通信モジュール３０を示す断面図である。
【００２９】
図３に示すように、撮像通信モジュール３０は、インクカートリッジ１００Ｋの外部に露出した非接触ＩＣ１２０に対向して配置される。
【００３０】
また、撮像通信モジュール３０は、上述の無線通信部３１及び撮像部３２Ｋに加えて、制御基板３３と筐体３４とベース部３５とを更に有する。
【００３１】
制御基板３３は、無線通信部３１及び撮像部３２Ｋを制御する。
筐体３４は、撮像部３２Ｋの例えばＣＭＯＳカメラであるカメラ３２ａと、制御基板３３と、ベース部３５と、無線通信部３１のアンテナ３１ａとを収容する。筐体３４には、非接触ＩＣ１２０に光を照射するために、撮像部３２の複数の光源３２ｂが配置されている。また、筐体３４には、カメラ３２ａと非接触ＩＣ１２０との間において貫通孔３４ａが設けられている。なお、アンテナ３１ａは、この貫通孔３４ａと同一形状又は同一中心軸の貫通孔を有するリング状を呈する。
【００３２】
ベース部３５は、制御基板３３と筐体３４との間に配置されている。
表示部４０は、上述のように、例えば図５Ａ〜図５Ｃに示す設定画面４１〜４３を表示するディスプレイである。設定画面４１〜４３は、商標表示領域４１ａ，４２ａ，４３ａと、印刷設定表示領域４１ｂ，４２ｂ，４３ｂとを含む。図６に示すように、商標表示領域４１ａは、純正品商標画像Ｔ１１等の商標画像に加えて、オーバーレイ画像Ｌを有するとよい。このオーバーレイ画像Ｌは、例えば「純正品」の文字である認証結果画像Ｌａと、例えば「有効期限：xxxxxxxx」の文字である消耗品情報画像Ｌｂとを含む。なお、表示部４０上には、入力部６０として機能するタッチパネルが配置されているとよい。
【００３３】
インターフェース部５０は、ユーザ端末などの他の装置との間で各種情報の授受を行う。
【００３４】
入力部６０は、上述のタッチパネルや、テンキーなどの入力ボタンであり、ユーザによる各種の操作情報の入力を受け付ける。
【００３５】
印刷部７０の印刷方式は、例えば、インクジェット印刷方式、孔版印刷方式、電子写真方式などであるが、特に制限されない。
【００３６】
インクカートリッジ１００Ｋは、インクボトル１１０と、非接触ＩＣ１２０とを有する。
【００３７】
図２に示すように、インクカートリッジ１００Ｋは、例えば直方体形状を呈し、インクジェット印刷装置に装着される。また、消耗品としては、例えば円筒形状を呈し、孔版印刷装置に装着されるインクカートリッジなどであってもよい。なお、消耗品は、インクカートリッジ１００に限られず、印刷装置１に装着されるものであれば、例えば、トナーカートリッジ、孔版原紙、感光体ドラムなどであってもよい。
【００３８】
図１に示すように、非接触ＩＣ１２０は、メモリ１２１と処理部１２２とを有する。
メモリ１２１は、インクカートリッジ１００Ｋを一意に特定するＩＤ（消耗品記憶情報）と、インクボトル１１０に貯留されたインクの属性データと、ＩＤに基づいて生成された第２パスワード（第２の照合情報の一例）と、非接触ＩＣ１２０の画像情報（例えば、上述の純正品商標画像Ｔ１１又は非純正品商標画像Ｔ１２）に基づいて生成された画像パスワード（第４の照合情報の一例）とが記憶される。
【００３９】
なお、メモリ１２１には、インクカートリッジ１００Ｋが使用される地域を示す仕向け情報が記憶されてもよいし、純正品商標画像Ｔ１１又は非純正品商標画像Ｔ１２の情報が記憶されていてもよい。インクの属性データには、インク色情報、インク溶媒種類情報、インク残量情報が含まれているとよい。
【００４０】
処理部１２２は、演算処理装置として機能するプロセッサ（例えばＣＰＵ）を有する。処理部１２２は、印刷装置１におけるインクの吐出量の情報を取得し、この吐出量に基づいてインクカートリッジ１００のインクボトル１１０内のインク残量を算出し、インク残量情報として、メモリ１２１に記憶させる。
【００４１】
図７は、商標画像（純正品商標画像Ｔ１１，非純正品商標画像Ｔ１２）の表示処理を説明するためのフローチャートである。
【００４２】
図７に示す各処理は、制御部１０（商標画像取得部１１及び表示制御部１２）が記憶部２０から所定のプログラムを読み出して実行することによって行われる。上述のとおり、消耗品として、インクカートリッジ１００Ｋを例に説明する。なお、例えば４つのインクカートリッジ１００が印刷装置１に装着されるが、図５Ａ〜図５Ｃに示す設定画面４１〜４３の商標表示領域４１ａ〜４３ａには、例えば最後に装着されたインクカートリッジ１００の商標画像が表示されるとよい。但し、商標表示領域４１ａ〜４３ａには、装着されたインクカートリッジ１００の数の商標画像が同時に表示されてもよい。
【００４３】
まず、制御部１０は、インクカートリッジ１００Ｋが印刷装置１に装着されたかの判定を、例えば、センサの検出結果、電源ＯＮ、省電力モードからの復帰などに基づいて、インクカートリッジ１００Ｋが印刷装置１に装着されるまで行う（ステップＳ１）。
【００４４】
制御部１０は、インクカートリッジ１００Ｋが印刷装置１に装着されたと判定すると（ステップＳ１：ＹＥＳ）、撮像部３２Ｋの図４Ａに示す純正品商標Ｔ１又は図４Ｂに示す非純正品商標Ｔ２の撮像によって、商標画像取得部１１が図５Ａに示す純正品商標画像Ｔ１１又は図５Ｂに示す非純正品商標画像Ｔ１２を取得したか（何らかの商標画像を検出したか）を判定する（ステップＳ２）。
【００４５】
商標画像取得部１１によって純正品商標画像Ｔ１１、非純正品商標画像Ｔ１２などの画像が取得されると（ステップＳ２：ＹＥＳ）、表示制御部１２は、純正品商標画像Ｔ１１、非純正品商標画像Ｔ１２などの商標画像を図５Ａ及び図５Ｂに示す設定画面４１，４２の商標表示領域４１ａ，４２ａに表示させる（ステップＳ３）。なお、表示制御部１２は、記憶部２０に記憶された登録画像を参照して、一致する商標画像があれば、この商標画像を商標表示領域４１ａに表示させてもよい。或いは、表示制御部１２は、記憶部２０に記憶された商標画像に基づいて、撮像画像のうち非接触ＩＣ１２０のアンテナ部などの周縁に映り込んだ不要部分を判定し、この不要部分に対しトリミングによる除去などを行ってもよい。
【００４６】
制御部１０は、記憶部２０に記憶された登録画像を参照して、撮像部３２Ｋによって撮像された画像に一致する純正品商標画像Ｔ１１があるかを識別する（ステップＳ４）。
【００４７】
次に、制御部１０は、撮像部３２Ｋによって撮像された商標画像が純正品商標画像Ｔ１１（純正品画像）に一致するかを判定する（ステップＳ５）。
【００４８】
制御部１０は、撮像部３２Ｋによって撮像された商標画像が純正品商標画像Ｔ１１（純正品画像）に一致すると判定すると（ステップＳ５：ＹＥＳ）、例えばインクカートリッジ１００Ｋの非接触ＩＣ１２０から、インクカートリッジ１００Ｋの情報（例えば、製造年月日、色情報、種類、濃度などの情報）を読み出す（ステップＳ６）。
【００４９】
次に、制御部１０は、上述の第１パスワードと第２パスワードとが一致するか、又は、第１パスワードと第２パスワードとが一致し且つ２つの画像パスワードが一致するかによって、印刷装置１に装着されたインクカートリッジ１００Ｋの認証を行う（ステップＳ７）。なお、この認証処理は、図７に示す各処理よりも前又は図７に示す処理と並行して別途行われ、インクカートリッジ１００Ｋが非純正品であれば、不適切なものである可能性がある旨の警告メッセージを表示部４０が表示してもよい。
【００５０】
次に、制御部１０は、インクカートリッジ１００Ｋが純正品（認証ＯＫ）であるかを判定する（ステップＳ８）。
【００５１】
インクカートリッジ１００Ｋが純正品であれば（ステップＳ８：ＹＥＳ）、表示制御部１２は、図６に示すように、商標表示領域４１ａに、純正品商標画像Ｔ１１とともに、「純正品」の文字などの認証結果画像Ｌａを含むオーバーレイ画像Ｌを表示する（ステップＳ９）。なお、オーバーレイ画像Ｌは、インクカートリッジ１００Ｋの情報画像、例えば、「有効期限：xxxxxxxx」の文字などの消耗品情報画像Ｌｂを含むとよい。
【００５２】
次に、制御部１０は、読み出されたインクカートリッジ１００Ｋの情報（例えば、製造年月日、色情報、種類、濃度などの情報）を印刷装置１の設定として反映させ（ステップＳ１０）、図７に示す処理を終了する。
【００５３】
上述のステップＳ８の判定処理において、インクカートリッジ１００Ｋが非純正品であれば（ステップＳ８：ＮＯ）、表示制御部１２は、図６に示す商標表示領域４１ａに、「非純正品」の文字などの認証結果画像Ｌａを含むオーバーレイ画像Ｌを表示し（ステップＳ１１）、図７に示す処理を終了する。なお、インクカートリッジ１００Ｋが非純正品であれば、後述するステップＳ２０の処理と同様に、表示制御部１２が、表示部４０において、インクカートリッジ１００Ｋの設定情報（例えば、製造年月日、色情報、種類、濃度などの情報）の入力をユーザに促す表示を行い（ステップＳ２０）、上述のステップＳ１０の処理を行ってもよい。
【００５４】
制御部１０は、上述のステップＳ５の判定処理において、撮像部３２Ｋによって撮像された画像が純正品商標画像Ｔ１１（純正品画像）に一致しないと判定すると（ステップＳ５：ＮＯ）、撮像部３２Ｋによって撮像された画像が記憶部２０に記憶された登録画像であるかを判定する（ステップＳ１２）。
【００５５】
制御部１０は、撮像部３２Ｋによって撮像された画像が記憶部２０に記憶された登録画像である場合（ステップＳ１２：ＹＥＳ）、記憶部２０に登録画像に対応する設定情報が記憶されていれば、この設定情報を読み出す（ステップＳ１３）。また、表示制御部１２は、この読み出された情報（例えば、製造年月日、色情報、種類、濃度などの情報）を表示部４０に表示する（ステップＳ１４）。そして、制御部１０は、上述のステップＳ１０の処理を行う。
【００５６】
上述のステップＳ１２の判定処理において、撮像部３２Ｋによって撮像された画像が記憶部２０に記憶された登録画像でない場合（ステップＳ１２：ＮＯ）、表示制御部１２は、表示部４０において、撮像画像（商標画像）を印刷装置１に登録画像として登録するか否かの決定の入力操作をユーザに促す表示を行う。
【００５７】
ユーザが撮像画像を印刷装置１に登録画像として登録することの入力操作を行うと（ステップＳ１５：ＹＥＳ）、表示制御部１２は、表示部４０において、インクカートリッジ１００Ｋの設定情報（例えば、製造年月日、色情報、種類、濃度などの情報）の入力をユーザに促す表示を行う（ステップＳ１６）。また、制御部１０は、商標画像とユーザが入力した設定値とを記憶部２０に記憶させ（ステップＳ１７）、上述のステップＳ１０の処理を行う。
【００５８】
上述のステップＳ２の判定処理において、商標画像取得部１１が商標画像（図５Ａに示す純正品商標画像Ｔ１１又は図５Ｂに示す非純正品商標画像Ｔ１２）を取得していない場合（ステップＳ２：ＮＯ）には、表示制御部１２は、例えば図５Ｃに示すように、設定画面４３の商標表示領域４３ａに、商標画像を表示しないことを決定する（ステップＳ１８）。
【００５９】
このステップＳ１８の処理の後、又は、上述のステップＳ１５の判定処理において、ユーザが商標画像を印刷装置１に登録画像として登録しないことの入力操作を行った（ステップＳ１５：ＮＯ）後には、表示制御部１２は、例えば図５Ｃに示すように、設定画面４３の商標表示領域４３ａに、「NO data」の文字などの商標画像を表示しないことを表す表示を行う（ステップＳ１９）。また、表示制御部１２は、表示部４０において、インクカートリッジ１００Ｋの設定情報（例えば、製造年月日、色情報、種類、濃度などの情報）の入力をユーザに促す表示を行い（ステップＳ２０）、上述のステップＳ１０の処理を行う。
【００６０】
図８は、他の実施の形態における、画像処理装置の一例であるユーザ端末２００を示す図である。
【００６１】
図８に示すユーザ端末２００は、制御部２１０と、記憶部２２０と、表示部２３０と、インターフェース部２４０と、入力部２５０とを備える。ユーザ端末２００は、例えば、パーソナルコンピュータ等の設置型端末であるか、或いは、タブレット端末、スマートフォンなどの携帯型端末である。
【００６２】
制御部２１０は、例えば、ユーザ端末２００全体の動作を制御する演算処理装置として機能するプロセッサ（例えばＣＰＵ）を有する。このプロセッサは、記憶部２２０又は着脱可能な記憶媒体から所定のプログラムを読み出して実行することにより、商標画像取得部２１１及び表示制御部２１２として機能する。
【００６３】
ユーザ端末２００は、無線又は有線で接続された印刷装置１から適宜情報を取得することによって、商標画像取得部２１１及び表示制御部２１２（制御部２１０）が、印刷装置１の商標画像取得部１１及び表示制御部１２（制御部１０）と同様の処理を行うことができる。そのため、本実施の形態の詳細な説明は省略するが、商標画像取得部２１１は、商標画像取得部１１と同様に、印刷装置１に装着された消耗品の一例であるインクカートリッジ１００に基づいて、印刷装置１に対応する商標画像（例えば、純正品商標画像Ｔ１１，非純正品商標画像Ｔ１２）を取得する。また、表示制御部２１２は、表示制御部１２と同様に、商標画像取得部２１１によって取得された商標画像を表示部２３０に表示させる。
【００６４】
記憶部２２０は、例えばメモリであり、印刷装置１の記憶部２０が記憶している情報と同一の情報を記憶していてもよい。
【００６５】
表示部２３０は、表示部４０と同様に、例えば図５Ａ〜図５Ｃに示す設定画面４１〜４３を表示するディスプレイである。
【００６６】
インターフェース部２４０は、印刷装置１などの他の装置との間で各種情報の授受を行う。
【００６７】
入力部２５０は、例えば、キーボード装置、マウス装置、タッチパネルなどであり、ユーザによる各種の操作情報の入力を受け付ける。
【００６８】
以上説明した一実施の形態及び他の実施の形態では、画像処理装置の一例である印刷装置１又はユーザ端末２００は、商標画像取得部１１，２１１と、表示制御部１２，２１２とを備える。商標画像取得部１１，２１１は、印刷装置１に装着された消耗品の一例であるインクカートリッジ１００に基づいて、印刷装置１に対応する商標画像の一例である純正品商標画像Ｔ１１又は非純正品商標画像Ｔ１２を取得する。表示制御部１２，２１２は、商標画像取得部１１，２１１によって取得された純正品商標画像Ｔ１１又は非純正品商標画像Ｔ１２を表示部４０に表示させる。
【００６９】
これにより、ユーザは、表示部４０，２３０（例えば、設定画面４１〜４３の商標表示領域４１ａ〜４３ａ）を見ることによって、どのようなインクカートリッジ１００が印刷装置１に装着されているかを把握することができる。そのため、ユーザは、印刷装置１に装着されたインクカートリッジ１００がどのようなものかを確認するために、インクカートリッジ１００を印刷装置１から取り出したり、印刷装置１の扉を開いて内部を確認したりする手間を省略することができる。よって、ユーザは、印刷装置１に装着されたインクカートリッジ１００（消耗品）の情報を簡単に把握できる。
【００７０】
また、商標画像取得部１１，２１１は、インクカートリッジ１００に付された商標の一例である純正品商標Ｔ１又は非純正品商標Ｔ２を撮像することにより得られる純正品商標画像Ｔ１１又は非純正品商標画像Ｔ１２を取得する。このように撮像によって商標画像を得ることで、印刷装置１が情報を有さない商標画像であっても、表示部４０，２３０に表示することができる。したがって、インクカートリッジ１００の情報を、より一層、ユーザに把握させやすくすることができる。
【００７１】
また、商標画像取得部１１，２１１は、インクカートリッジ１００の認証結果に基づいて商標画像（純正品商標画像Ｔ１１）を取得する。これにより、インクカートリッジ１００の認証結果に対応する商標画像をユーザに提示することができるため、ユーザは、例えば純正品商標画像Ｔ１１を見て、インクカートリッジ１００が純正品であることを簡単に把握することができる。更には、撮像された商標画像を表示部４０，２３０に表示させる場合と比較して、鮮明な商標画像を表示部４０，２３０に表示させることができるため、インクカートリッジ１００の情報を、より一層、ユーザに把握させやすくすることができる。
【００７２】
また、表示制御部１２，２１２は、インクカートリッジ１００の認証結果画像Ｌａ及びインクカートリッジ１００の情報画像（消耗品情報画像Ｌｂ）のうち少なくとも一方を、商標画像（純正品商標画像Ｔ１１，非純正品商標画像Ｔ１２）とともに表示部４０，２３０に表示させる。これにより、インクカートリッジ１００の認証結果をユーザに提示することで、ユーザは、認証結果の情報を簡単に把握できる。また、インクカートリッジ１００のインクの色や種類などの情報をユーザに提示することで、インクカートリッジ１００の情報を、より一層、ユーザに把握させやすくすることができる。
【００７３】
なお、本発明は、上述の実施の形態そのままに限定されるものではなく、実施段階でその要旨を逸脱しない範囲で構成要素を変形して具体化することができる。また、上述の実施の形態に開示されている複数の構成要素の適宜な組み合わせにより、種々の発明を形成することができる。例えば、実施の形態に示される全構成要素を適宜組み合わせても良い。このような、発明の趣旨を逸脱しない範囲内において種々の変形や応用が可能であることはもちろんである。以下に、本願の出願当初の特許請求の範囲に記載された発明を付記する。
【００７４】
［付記１］
印刷装置に装着された消耗品に基づいて、前記印刷装置に対応する商標画像を取得する商標画像取得部と、
前記商標画像取得部によって取得された前記商標画像を表示部に表示させる表示制御部と
を備えることを特徴とする画像処理装置。
【００７５】
［付記２］
前記商標画像取得部は、前記消耗品に付された商標を撮像することにより得られる前記商標画像を取得する、
ことを特徴とする付記１記載の画像処理装置。
【００７６】
［付記３］
前記商標画像取得部は、前記消耗品の認証結果に基づいて前記商標画像を取得する
ことを特徴とする付記１記載の画像処理装置。
【００７７】
［付記４］
前記表示制御部は、前記消耗品の認証結果画像及び前記消耗品の情報画像のうち少なくとも一方を、前記商標画像とともに前記表示部に表示させる
ことを特徴とする付記１乃至３のいずれか記載の画像処理装置。
【符号の説明】
【００７８】
１  印刷装置
１０  制御部
１１  商標画像取得部
１２  表示制御部
２０  記憶部
３０  撮像通信モジュール
３１  無線通信部
３１ａ  アンテナ
３２（３２Ｋ，３２Ｃ，３２Ｍ，３２Ｙ）  撮像部
３２ａ  カメラ
３２ｂ  光源
３３  制御基板
３４  筐体
３４ａ  貫通孔
３５  ベース部
４０  表示部
４１，４２，４３  設定画面
４１ａ，４２ａ，４３ａ  商標表示領域
４１ｂ，４２ｂ，４３ｂ  印刷設定表示領域
５０  インターフェース部
６０  入力部
７０  印刷部
１００（１００Ｋ，１００Ｃ，１００Ｍ，１００Ｙ）  インクカートリッジ
１１０  インクボトル
１２０  非接触ＩＣ
１２１  メモリ
１２２  処理部
２００  ユーザ端末
２１０  制御部
２１１  商標画像取得部
２１２  表示制御部
２２０  記憶部
２３０  表示部
２４０  インターフェース部
２５０  入力部
Ｌ  オーバーレイ画像
Ｌａ  認証結果画像
Ｌｂ  消耗品情報画像
Ｔ１  純正品商標
Ｔ２  非純正品商標
Ｔ１１  純正品商標画像
Ｔ１２  非純正品商標画像
【図１】
2020163700.tif 000003
【図２】
2020163700.tif 000004
【図３】
2020163700.tif 000005
【図４Ａ】
2020163700.tif 000006
【図４Ｂ】
2020163700.tif 000007
【図４Ｃ】
2020163700.tif 000008
【図５Ａ】
2020163700.tif 000009
【図５Ｂ】
2020163700.tif 000010
【図５Ｃ】
2020163700.tif 000011
【図６】
2020163700.tif 000012
【図７】
2020163700.tif 000013
【図８】
2020163700.tif 000014